(57)【要約】【課題】本発明は、従来のような防獣ネット柵の問題点を解決し、支持枠に取り付けるネット編みのネット目の大きさや形状に自由度を有する防獣機能の優れた防獣ネット柵を提供する。【解決手段】害獣を拘束するネット目を有する防獣ネット柵であって、ネット編地２と該ネット編地２を張架するために支持する支持枠１とよりなり、ネット編地２が一部において地面４より浮いた状態であり、また、矩形のネット編地２の後方端を地面４より一定距離の高さに保持する支持枠１と矩形のネット編地２の前方端を地面４に固定するアンカーピン３よりなり、前方端以外のネット編地２は地面４より浮いた状態にある防獣ネット柵。    【選択図】図１
2011152060.tif 000002
【特許請求の範囲】
【請求項１】
害獣を拘束するネット目を有する防獣ネット柵であって、ネット編地２と該ネット編地２を張架するために支持する支持枠１とよりなり、ネット編地２が一部において地面４より浮いた状態にあることを特徴とする防獣ネット柵。    
【請求項２】
矩形のネット編地２の後方端を地面４より一定距離の高さに保持する第１支持枠１と矩形のネット編地２の前方端を地面４に固定するアンカーピン３よりなり、前方端以外のネット編地２は地面４より浮いた状態にあることを特徴とする請求項１記載の防獣ネット柵。    
【請求項３】
矩形のネット編地２の中央部を地面４より一定距離の高さに保持する支持枠１と矩形のネット編地２の前方端を地面４に固定するアンカーピン３と、矩形のネット編地２の後方端を地面４に固定するアンカーピン３とよりなり、ネット編地２は前方端及び後方端以外は地面４より浮いた状態にあることを特徴とする請求項２記載の防獣ネット柵。    
【請求項４】
中央部の一定の面積部分を地面４より一定距離の高さに保持することを特徴とする請求項３記載の防獣ネット柵。
【請求項５】
矩形のネット編地２の後方端を地面４より一定距離の高さに保持する支持枠１と矩形のネット編地２の前方端を地面４に固定するアンカーピン３よりなり、前方端の近くに折り畳み部を設けたことを特徴とする請求項１記載の防獣ネット柵。    
【請求項６】
矩形のネット編地２の後方端を地面４より一定距離の高さに保持する支持枠１と矩形のネット編地２の中央部を地面４に固定するアンカーピン３と、前方端を支持枠１の一定距離離れた前方の位置で、且つ一定高さの位置に固定するアンカーピン３とよりなり、中央部以外は地面４から浮いた状態にあることを特徴とする請求項１記載の防獣ネット柵。
【請求項７】
ネット編地２がフロント・ネット編地Ｆとバック・ネット編地Ｂとよりなり、それらが畝部Ｗを部分的に連結した連結部Ｒを形成することで得られるネット目Ｎを有し、フロント・ネット編地Ｆとバック・ネット編地Ｂの畝部が部分的に前後互いに接結される接結部Ｓを形成して前記両編地が一体化され、しかも、前記接結部以外は互いに遊離している遊離部Ｘを有していることを特徴とする請求項１〜６から選ばれた１記載の防獣ネット柵。
【請求項８】
フロント・ネット編地Ｆとバック・ネット編地Ｂのネット目が異なることを特徴とする請求項７記載の防獣ネット柵。
【請求項９】
フロント・ネット編地Ｆとバック・ネット編地Ｂを形成する編成糸の素材、並びに物性値が異なることを特徴とする請求項７記載の防獣ネット柵。
【発明の詳細な説明】
【技術分野】
【０００１】
本発明は、ネット目を有する防獣機能の優れた防獣ネット柵に関し、更には支持枠１に取り付けるネット編みのネット目の大きさや形状に自由度を有する防獣機能の優れた防獣用ネット柵に関する。
【背景技術】
【０００２】
近年、農業、林業において、猿、熊、猪等の獣類が田畑の作物を荒らす被害が多くなってきている。自然の破壊により森林が減る傾向があることから、今後もこのような害獣による被害は増えるものと考えられる。
一方、このような獣類からの被害を防止するため、野猿、猪などの害獣が田畑区域に侵入することを阻止する手段が取られている。
例えば、田畑区内に害獣が侵入するのを防ぐため、その境界部に防獣ネット柵を設置する対策がある（特許文献１参照）。
この防獣ネット柵は、ネット網地と支持枠１よりなり該ネット網地を支持枠１で地面４に垂直に支えて展開するものである。
【０００３】
防獣ネット柵が田畑区の境界部に設けられている場合、害獣が近寄って来てネット網のネット目に脚足（蹄）を挿入するとその害獣の脚足は一時的にネット網に拘束される。
何れは拘束を外し逃げ出すこととなるような短い時間の拘束であっても、一度、足を拘束された害獣は、その特殊な経験を記憶に残すため、以後、防獣ネット柵に近寄らない。
もっともネット目に入った脚足が抜け出せない場合は、その害獣の捕獲も可能となる。
防獣ネット柵はこのような経験心理を応用したものである。
【０００４】
ところが、防獣ネット柵に使われるネット網地は、支持枠１で地面４に垂直に支えてあるので、害獣が後ろ足で立ってネット網地に寄りかかる結果、前足がネット目に挿入され後ろ足は、フリーとなる。
従って逃げ易く恐怖感が作用しないため防獣ネット柵としての防獣機能は必ずしも十分ではない。
一方、防獣ネット柵に使われるネット網地は、通常、一枚であるのでネット目の寸法はネット網地自体の規格によって一義的に決定されてしまって寸法に自由度がない。
すなわち、一枚のネット編地２は規格された一定の寸法のネット目であるため、拘束する害獣の足の大きさが一義的に決まってしまって拘束する対象となる害獣の大きさが限定されるのである。
【０００５】
もっとも、異なったネット目を有するネット網地を２枚重ねて柵に取り付けることも考えられてはいるが（特許文献２、特許文献３、参照）、あくまでも独立に分離した２枚のネット網地であるので、網地自体の取り扱いが厄介であり、柵への取り付けも簡単ではなく手数を要す。
また別々のネット網地なのでバラバラになり、それを防ぐため拘束するにしても、連結具を使わなければならないので拘束の手間が大変である。
また連結具を取り付けると本来のネット網地の良さがなくなる欠点もある。
【０００６】
更に、これらもネット網地が、支持枠１により地面４に垂直に支えてあるので、上述した欠点もある。
以上のように、従来の防獣ネット柵は防獣機能として必ずしも十分なものではなかった。
【先行技術文献】
【特許文献】
【０００７】
【特許文献１】特開２００９−２２２４０号公報
【特許文献２】特開２００６−２６２７６５号公報
【特許文献３】特開２００８−３０６９４０号公報
【発明の概要】
【発明が解決しようとする課題】
【０００８】
本発明は上記事情を背景になされたものである。
すなわち本発明の目的は、従来のような防獣ネット柵の問題点を解決し、防獣機能の優れた防獣ネット柵を提供することである。
【課題を解決するための手段】
【０００９】
本発明者らは、上記課題を解決するため鋭意検討したところ、ネット編地２を一部において地面４から浮いた状態に張架することにより足を拘束する効果が大きくなることを見出した。
また、従来のネット目を有するネット編地２を２枚を部分的に一体組織として接結合することにより、少なくとも垂直面視で新しいネット目が形成された編み地を作り出すことが可能であることを見出した。
本発明はこれらの知見をもとに完成するに至ったものである。
【００１０】
すなわち、本発明は、（１）、害獣を拘束するネット目を有する防獣ネット柵であって、ネット編地２と該ネット編地２を張架するために支持する支持枠１とよりなり、ネット編地２が一部において地面４より浮いた状態にある防獣ネット柵に存する。    
【００１１】
即ち、本発明は、（２）、矩形のネット編地２の後方端を地面４より一定距離の高さに保持する第１支持枠１と矩形のネット編地２の前方端を地面４に固定するアンカーピン３よりなり、前方端以外のネット編地２は地面４より浮いた状態にある上記（１）記載の防獣ネット柵に存する。    
【００１２】
即ち、本発明は、（３）、矩形のネット編地２の中央部を地面４より一定距離の高さに保持する支持枠１と矩形のネット編地２の前方端を地面４に固定するアンカーピン３と、矩形のネット編地２の後方端を地面４に固定するアンカーピン３とよりなり、ネット編地２は前方端及び後方端以外は地面４より浮いた状態にある上記（２）記載の防獣ネット柵に存する。    
【００１３】
即ち、本発明は、（４）、中央部の一定の面積部分を地面４より一定距離の高さに保持する上記（３）記載の防獣ネット柵に存する。
【００１４】
即ち、本発明は、（５）、矩形のネット編地２の後方端を地面４より一定距離の高さに保持する支持枠１と矩形のネット編地２の中央部を地面４に固定するアンカーピン３と、前方端を地面４に固定するアンカーピン３よりなる防獣ネット柵に存する。
【００１５】
即ち、本発明は、（６）、矩形のネット編地２の後方端を地面４より一定距離の高さに保持する支持枠１と矩形のネット編地２の中央部を地面４に固定するアンカーピン３と、前方端を支持枠１の一定距離離れた前方の位置で、且つ一定高さの位置に固定するアンカーピン３とよりなり、中央部以外は地面４から浮いた状態にある上記（１）記載の防獣ネット柵に存する。    
【００１６】
即ち、本発明は、（７）、ネット編地２がフロント・ネット編地Ｆとバック・ネット編地Ｂとよりなり、それらが畝部Ｗを部分的に連結した連結部Ｒを形成することで得られるネット目Ｎを有し、フロント・ネット編地Ｆとバック・ネット編地Ｂの畝部が部分的に前後互いに接結される接結部Ｓを形成して前記両編地が一体化され、しかも、前記接結部以外は互いに遊離している遊離部Ｘを有している上記（１）〜（６）記載のいずれか１項記載の防獣ネット柵に存する。
【００１７】
即ち、本発明は、（８）、フロント・ネット編地Ｆとバック・ネット編地Ｂのネット目が異なる上記（７）記載のいずれか１項記載の防獣ネット柵に存する。
【００１８】
即ち、本発明は、（９）、フロント・ネット編地Ｆとバック・ネット編地Ｂを形成する編成糸の素材、並びに物性値が異なる上記（７）記載の防獣ネット柵に存する。
【００１９】
なお、本発明の目的に沿ったものであれば、上記（１）から（９）を適宜組み合わせた構成も採用可能である。
【発明の効果】
【００２０】
本発明の防獣ネット柵は、害獣を拘束するネット目を有する防獣ネット柵であって、ネット編地２と該ネット編地２を張架するために支持する支持枠１とよりなり、ネット編地２が一部において地面４より浮いた状態にあるので、害獣の脚足を確実に拘束でき、防獣機能が優れている。
また本発明の防獣ネット柵は、ネット編地２がフロント・ネット編地Ｆとバック・ネット編地Ｂとよりなり、それらが畝部Ｗを部分的に連結した連結部Ｒを形成することで得られるネット目Ｎを有し、フロント・ネット編地Ｆとバック・ネット編地Ｂの畝部が部分的に前後互いに接結される接結部Ｓ（すなわち接結部）を形成していてこれにより前記両編地が一体化されてなり、しかも、前記接結部以外は互いに遊離している遊離部Ｘを有している。  
【００２１】
このような構成によりフロント・ネット編地Ｆの畝部Ｗとバック・ネット編地Ｂの畝部Ｗである前後の畝部により各本来編地にはない新しい合成ネット目ＧＮが形成される。
そのためフロント・ネット編地Ｆやバック・ネット編地Ｂにはない寸法のネット目、すなわち、新しい合成ネット目ＧＮにより、脚足（蹄）の大きさの異なった多くの種類の害獣を少なくとも一時的に拘束することができる。
【００２２】
接結部Ｓ以外の部分では互いの動きの自由度を維持しつつ適度に一体化されることで、ネット編地２が一枚物となり、編地自体の取り扱いが容易であり、支持枠１等への取り付けも簡単に行える。
【図面の簡単な説明】
【００２３】
【図１】図１は、防獣ネット柵の第１の実施の形態を示す概略図である。
【図２】図２は、防獣ネット柵の第２の実施の形態を示す概略図である。
【図３】図３は、防獣ネット柵の第３の実施の形態を示す概略図である。
【図４】図４は、防獣ネット柵の第４の実施の形態を示す概略図である。
【図５】図５は、防獣ネット柵の第５の実施の形態を示す概略図である。
【図６（Ａ）】図６（Ａ）は、フロント・ネット編地とバック・ネット編地とからなる２重ネット編地の実態模式図である。
【図６（Ｂ）】図６（Ｂ）は、ネット編地の実施例１を示す図６（Ａ）を幾何学模様で示した模式図である。
【図６（Ｃ）】図６（Ｃ）は、実施例１おける合成ネット目の模式図である。
【図６（Ｄ）】図６（Ｄ）は、実施例１おける２重ネット編地のダブルラッシェル編地仕様の組織図である。
【図６（Ｅ）】図６（Ｅ）は、実施例１おけるフロント・ネット編地をシングルラッシェル編地仕様で示した、挿入糸を含めた組織図である。
【図７】図７は、実施例２の１例を示すフロント・ネット編地とバック・ネット編地を幾何学模様で示した模式図である。
【図８（Ａ）】図８（Ａ）は、実施例３におけるバック・ネット編地がフロント・ネット編地のネット目の１／４の大きさである２重ネット編地の幾何学模様で示した模式図である。
【図８（Ｂ）】図８（Ｂ）は、実施例３におけるバック・ネット編地をシングルラッシェル編地仕様で示した、挿入糸Ｌを含めた組織図である。
【図９】図９は、本２重ネット編地を編成するダブルラッシェル機の断面模式図である。
【発明を実施するための形態】
【００２４】
以下、必要に応じて図面を参照しつつ、本発明の好適な実施形態について詳細に説明する。
【００２５】
（第１の実施の形態）
本発明の防獣ネット柵は、主としてネット目を有するネット編地２と該ネット編地２を張架するための支持枠１とよりなる。
この防獣ネット柵は、害獣を少なくとも一時的に拘束することができる。
ここで、防獣ネットに使用するネット編地２の詳細については後述することとする。
【００２６】
図１は、防獣ネット柵の第１の実施の形態を示す概略図である。
この防獣ネット柵は、矩形のネット編地２の後方端を地面４より一定距離の高さに保持する支持枠１と矩形のネット編地２の前方端を地面４に固定するアンカーピン３よりなる。
ネット編地２の周囲には、ロープ２１が取り付けられており、このロープ２１の一部を支持枠１の上端に取り付ける。
この場合、支持枠１を構成する２本の支柱１１にネット編地２を取り付けることが好ましい。
ネット編地２の前方端を支持枠１から一定距離離れた前方の位置にて、アンカーピン３を使って地面４に打ち込むことでネット編地２は地面４に接地して固定される。
この固定の際は、アンカーピン３の頭でロープ２１を地面４に押し付けるようにする。
この状態でネット編地２は、地面４に接地した前方端以外の部分は地面４より浮いた状態にある。
すなわちネット編地２は、その後方端は一定距離の高さにあるが徐々に放物線上に下がり地面４に接地する。
ネット編地２の地面４に沿って浮いた部分のネット目に害獣の脚足が入り易い。
【００２７】
なお、ネット編地２に対するロープ２１の取付け場所としては、その周囲以外の部分にも取り付けることもある。
また取付けの仕方としては、ネット目にロープ２１を挿通させる方法、或いはネット編地２に縫製でロープ２１を取り付ける方法等があり、何れを採用してもよい。
これらの点は以下の実施の形態においても同じである。
この状態でネット編地２は、地面４に接地した前方端以外の部分は地面４より浮いた状態にあるので、害獣が脚足でネット編地２の上を踏むと、ネット目に脚足が挿入されて拘束状態となる。
獣がもがいて足を外し逃げたとしても、それが記憶に残り以後近づかない。
【００２８】
（第２の実施の形態）
図２は、防獣ネット柵の第２の実施の形態を示す概略図である。
この防獣ネット柵は、矩形のネット編地２の中央部を地面４より一定距離の高さに保持する支持枠１と矩形のネット編地２の前方端を地面４に固定するアンカーピン３と、ネット編地２の後方端を地面４に固定するアンカーピン３とよりなる。
【００２９】
すなわちネット編地２の周囲には、ロープ２１が取り付けられており、このネット編地２を支持枠１に取り付ける場合、ネット編地中央部にてロープ２１の一部を支持枠１の上端に取り付ける。
この場合、支持枠１を構成する支柱１１に横桟を設けそれにネット編地２を渡して取り付けることが好ましい。
ネット編地２の中央部は地面４より一定距離の高さに保持された状態にある。
ネット編地２の前方端や後方端をアンカーピン３を使って支持枠１の一定距離離れた前後方向の位置で地面４に打ち込むことによりネット編地２の前後は地面４に接地して固定される。
この固定の際は、アンカーピン３の頭でロープ２１を地面４に押し付けるようにする。
このように側面視で山形状に架設される。
ネット編地２は大部分が地面４にそって地面４より浮いた状態にある。
ネット編地２の中央部後方にも地面４より浮いた状態の部分があるため支持枠１の高さは第１の実施の形態より低くても拘束効果は十分発揮できる。
【００３０】
（第３の実施の形態）
図３は、防獣ネット柵の第３の実施の形態を示す概略図である。
この防獣ネット柵は、前記第２の実施の形態においては一定距離の高さに保持された中央部の部分は直線状で極めて面積が小さいが、この実施の形態においては、中央部が一定の面積部分を有する点で異なる。
この場合、支持枠１を構成する４本の支柱１１にそれぞれ横桟（すなわち横方向に渡した支柱）を設けそれにネット編地２を渡して取り付けることが好ましい。
丁度、側面視で台形状に架設される。
第２の実施の形態と同様に、一定の面積を有する中央部が地面４より浮いた状態であるため支持枠１の高さを低くしても拘束効果は十分発揮できる。
防獣ネット柵全体の背丈が低くなるので見通しが悪くならない。
【００３１】
（第４の実施の形態）
図４は、防獣ネット柵の第４の実施の形態を示す概略図である。
この防獣ネット柵は、矩形のネット編地２の上方端を地面４より一定距離の高さに保持する支持枠１と矩形のネット編地２の下方端を地面４に固定するアンカーピン３よりなり、下方端の近くに折り畳み部２２を設けた。
【００３２】
すなわちネット編地２の周囲には、ロープ２１が取り付けられており、このネット編地２の上方部にあるロープ２１の一部を支持枠１の上端に取り付ける。
支持枠１によりネット編地２の上方端は地面４より一定距離の高さに保持された状態にある。
また矩形のネット編地２の下方端がアンカーピン３を使って地面４に固定されている。
そして地面４に固定された下方端より上の一定の部分が襞状の折り畳み部２２となっている。
この折り畳み部２２がいわゆる浮いた状態の部分となる。
この実施の形態の防獣ネット柵は、下方に襞状の折り畳み部２２を備えるので、この部分を猪等の害獣の鼻で繰り返し押し上げも力が緩和されてネット編地２に強い張力が発生しない。
従ってネット編地２が破れにくい。
またネット編地の面積が大きいにもかかわらず施工面積が少なくて済む利点がある。
【００３３】
（第５の実施の形態）
図５は、防獣ネット柵の第５の実施の形態を示す概略図である。
この防獣ネット柵は、矩形のネット編地２の後方端を地面４より一定距離の高さに保持する支持枠１と矩形のネット編地２の中央部を地面４に固定するアンカーピン３と、ネット編地２の前方端を支持枠１の一定距離離れた前方の位置で、且つ一定高さの位置に固定するアンカーピン３とよりなる。
【００３４】
すなわちネット編地２の周囲や中央部にはロープ２１が取り付けられており、ネット編地２の後端部のロープ２１の一部を支持枠１の上端に取り付ける。
また中央部のロープ２１をアンカーピン３を使って地面４に固定する。
この場合、支持枠１を構成する２本の支柱１１の上端にネット編地２を取り付けるが、支柱１１は上方が屈曲していて前方に張り出している。
従って、ネット編地２は上部が前方に張り出して傾いて張架されることとなる。
害獣がネット編地を踏んでこの部分に達した場合、上方が覆い被さった状態に見えるため恐怖感を与える効果がある。
また前方端は、支持枠１の一定距離離れた前方の位置で、且つ地面４より一定高さの位置にアンカーピン３を使って固定されている。
ネット編地２の中央部から前方端までは一定高さ地面４から浮いた状態にあるため害獣の脚足がネット目に入り易い。この前方端から害獣が潜って入ったとしても中央部の立ち上がりの部分で阻止される。
【００３５】
ところで、上述した各実施の形態の防獣ネット柵において使用する編地は、特殊な二重ネット編地を使用している。
すなわちフロント・ネット編地Ｆとバック・ネット編地Ｂとが一部で接結され一体となって一枚物の編地となっており、両編地の畝部で生成する新しいネット目を創出するものである。
【００３６】
ここで２重ネット編地Ｄは、図９の断面模式図に示すように、ダブルラッシェル機ＤＲで編成することができる。
フロントニードル部ＦＮでフロント・ネット編地Ｆを、バックニードル部ＢＮでバック・ネット編地Ｂが編成される。
本ダブルラッシェル機ＤＲは、ガイドＧ１〜ガイドＧ８で構成されるガイド群ＧＬを擁し、それぞれに通糸された編成糸Ｙで２重ネット編地Ｄが編成される。
【００３７】
以下、この本発明の防獣ネット柵で使用する２重ネット編地Ｄについて詳しく述べる。
本ネット編地２は、図９の断面模式図に示すようにダブルラッシェル機ＤＲで編成される。
フロントニードル部ＦＮでフロント・ネット編地Ｆが、バックニードル部ＢＮでバック・ネット編地Ｂが編成される。
本ダブルラッシェル機ＤＲは、ガイドＧ１〜ガイドＧ１０で構成されるガイド群ＧＬを擁し、それぞれに通糸された編成糸Ｙで２重ネット編地２Ｄが編成される。
【００３８】
（ネット編地２の実施例１）
図６（Ａ）は、本発明の防獣ネット柵に使用するネット編地２の実施例１を説明する模式図である。
本ネット編地２はダブルラッシェル地であり、大きくはフロント・ネット編地Ｆとバック・ネット編地Ｂで構成されている。
フロント・ネット編地Ｆ、バック・ネット編地Ｂともに多数のひも状の畝部Ｗを編成し、これを所要箇所、部分的に連結した連結部Ｒを形成することでネット目Ｎが形成されている。
ここで、図６（Ａ）に示すネット目Ｎは、合成ネット目ＧＮとの比較のため、フロント・ネット編地Ｆ、並びにバック・ネット編地Ｂの一部を省略したものを示した。
【００３９】
本実施例では、フロント・ネット編地Ｆとバック・ネット編地Ｂは、同一組織でネット目Ｎの大きさ、形は同じであるが、上下に１／２リピート（図６（Ｂ）にＰで示す）ずれて編成している。
また、実際には、図６（Ａ）に示すように連結部Ｒは線状の長さを有していることと畝部Ｗが剛性を有していることからネット目Ｎは曲線を描いている。
これを実施例２、３（幾何学模様で説明している）との比較のために幾何学模様で示せば図６（Ｂ）に示すようにネット目Ｎは菱形である。
【００４０】
そして、フロント・ネット編地Ｆとバック・ネット編地Ｂは、両編地の畝部Ｗの所要箇所を部分的に互いに前後接結した接結部Ｓを設けて接結され全体として一枚物の２重ネット編地２Ｄとなっている。
接結部Ｓは図６（Ａ）に黒丸（●）で示すように、規則的に分散して設けられている。
この接結部Ｓが設けられることで両編地は組織的に一体化され、しかも接結されていない部分（接結部Ｓ以外の部分に相当）、つまり遊離部Ｘがあることにより互いの動きの自由度が確保される。
【００４１】
つまり、両編地の相対的な自由な動きにより畝部にズレが生じ、これを編地方向に対して垂直面視した場合、そこに第３のネット目と言うべき合成ネット目ＧＮが発現する。
この合成ネット目ＧＮの出現により、一枚物のネット編地２であっても、フロント・ネット編地Ｆのネット目やバック・ネット編地Ｂのネット目にない規格外のネット目を備えることとなる。
一枚物のネット編地２におけるこの合成ネット目ＧＮの発現は、本発明の防獣ネット柵のネット編地２として重要な特徴点である。
【００４２】
ここで、フロント・ネット編地Ｆとバック・ネット編地Ｂを接結する接結部についていうと、上述した接結部Ｓは両編地の畝部Ｗ同士の接結例で示したが、他にも両編地の連結部Ｒ同士、フロント・ネット編地Ｆの連結部Ｒとバック・ネット編地Ｂの畝部Ｗ、フロント・ネット編地Ｆの畝部Ｗとバック・ネット編地Ｂの連結部Ｒがあり、４つの接結組み合わせがあげられる。
【００４３】
図６（Ｃ）に、フロント・ネット編地Ｆとバック・ネット編地Ｂの変形による合成ネット目ＧＮを説明する模式図を示している。
本図では、理解を容易にするためにフロント・ネット編地Ｆのネット目Ｎはそのままに、バック・ネット編地Ｂのネット目Ｎのみの変形を示してネット目Ｎの変形による合成ネット目ＧＮの形成状態を示している。
実際には、フロント・ネット編地Ｆとバック・ネット編地Ｂのいずれのネット目Ｎも自在に変形して両者の重なりにより自在な合成ネット目ＧＮを発現する。
すなわちフロント・ネット編地Ｆの畝部Ｗとバック・ネット編地Ｂの畝部Ｗである前後の畝部により、各本来編地にはない新しい合成ネット目ＧＮが形成され新しい機能が付与されるのである。
合成ネット目ＧＮの形、大きさは、変幻自在で小さなネット目Ｎから、かなり大きなネット目Ｎも発現できる。
【００４４】
そして、互いの自由な動きによるズレ移動は、接結部Ｓ間の間隔を大きくすればするほど大きくなり、変化に富んだ合成ネット目ＧＮが得られる。
しかし、フロント・ネット編地Ｆとバック・ネット編地Ｂの取り扱いの観点から一体化に重きを置く場合には、それに対応した間隔で接結部Ｓが設けられることが望ましい。
【００４５】
図６（Ｄ）の（ａ）、（ｂ）に、実施例１の２重ネット編地２Ｄの組織図の１例をダブルラッシェル編地仕様の組織図で示す。
本例の２重ネット編地Ｄにおけるフロント・ネット編地Ｆ、並びにバック・ネット編地Ｂは５６コースで１リピートである。
図６（Ｄ）の（ａ）において、連結部Ｒ１は、畝部Ｗ２と畝部Ｗ３を互いに絡ませて形成される。
そして、順次、畝部Ｗが編成されていき、畝部Ｗ２は今度は畝部Ｗ１と絡んで、連結部Ｒ２を形成する。
このように、畝部Ｗ２は、絡む畝部Ｗを右、左、右・・・と交互にかえていくことにより、本フロント・ネット編地Ｆは、これを幅方向に拡張した際に菱形となるネット目Ｎを有することとなる。
【００４６】
本発明の２重ネット編地２Ｄでは、ネット組織地ＮＣに補強糸としての挿入糸Ｌを挿入した編地を採用している。
図６（Ｄ）の（ａ）、（ｂ）では、挿入糸Ｌの組織を記載することによる視覚的な理解の低下を防ぐために、挿入糸Ｌの組織は示していない。
挿入糸Ｌについては、シングルラッシェル編地仕様の組織図として図６（Ｅ）にその挿入状態を示し、その具体的組織については下記に示す。
【００４７】
以下、図６（Ｄ）の（ａ）、（ｂ）に示した実施例１の２重ネット編地２Ｄの組織例をダブルラッシェル編地仕様により、フロント・ネット編地Ｆ、並びにバック・ネット編地Ｂのネット組織ＮＣを、ガイドＧ３、Ｇ４、Ｇ５、Ｇ６、Ｇ７、Ｇ８について示す。
【００４８】
（ネット編地２の実施例１の２重ネット編地２Ｄのダブルラッシェル編地仕様組織例）
ガイドＧ５の組織においては接結部Ｓ１を有する。ガイドＧ４では接結部Ｓは存在しない。
【００４９】
（フロント・ネット編地Ｆの組織例）
なお、このように表示された編地の仕様組織に基づいて、実際の編地編成が行われる。
以下、同じである。
（接結部Ｓ１を有する組織）
Ｇ５（２・４／４・４／４・２／４・４／４／６／６・６／６・４／４・４／４／６／６・６／６・４／４・４／４・２／２・２／２・４／４・４／４・２／２・２／２・４／４・４／４・２／（２／４／４・４）／４・４／４・２／２・２／２・４／４・４／４・２／２・２／２・４／２・２／２・０／０・０／０・２／２・２／２・０／０・０／０・２／２・２／２・４／４・４／４・２／２・２／２・４／４・４／４・２／２・２／２・４／４・４／４・２／２・２／２・４／４・４／４・２／２・２／）
【００５０】
（接結部を有しない組織）
Ｇ４（２・４／４・４／４・２／４・４／４／６／６・６／６・４／４・４／４／６／６・６／６・４／４・４／４・２／２・２／２・４／４・４／４・２／２・２／２・４／４・４／４・２／２・２／２・４／４・４／４・２／２・２／２・４／４・４／４・２／２・２／２・４／２・２／２・０／０・０／０・２／２・２／２・０／０・０／０・２／２・２／２・４／４・４／４・２／２・２／２・４／４・４／４・２／２・２／２・４／４・４／４・２／２・２／２・４／４・４／４・２／２・２／）  
【００５１】
Ｇ３（４・２／２・２／２・４／２・２／２・０／０・０／０・２／２・２／２・０／０・０／０・２／２・２／２・４／４・４／４・２／２・２／２・４／４・４／４・２／２・２／２・４／４・４／４・２／２・２／２・４／４・４／４・２／２・２／２・４／４・４／４・２／２・２／２・４／４・４／４・２／２・２／２・４／４・４／４・２／２・２／２・０／０・０／０・２／２・２／２・０／０・０／０・２／２・２／２・０／０・０／０・２／２・２／２・０／０・０／０・２／２・２／）
【００５２】
（バック・ネット編地Ｂの組織例）                                                
ガイドＧ６の組織においては接結部Ｓ２を有する。ガイドＧ５では接結部Ｓは存在しない。
【００５３】
（接結部Ｓ２を有する組織）
Ｇ６（４・４／４・２／２・２／２・４／２・２／２・０／０・０／０・２／２・２／２・０／０・０／０・２／２・２／２・４／４・４／４・２／２・２／２・４／４・４／４・２／２・２／２・４／（４・２／２・２）／２・２／２・４／４・４／４・２／２・２／２・４／４・４／４・２／４・４／４・６／６・６／６・４／４・４／４・６／６・６／６・４／４・４／４・２／２・２／２・４／４・４／４・２／２・２／２・４／４・４／４・２／２・２／２・４／４・４／４・２／２・２／２・４）
【００５４】
（接結部を有しない組織）
Ｇ７（４・４／４・２／２・２／２・４／２・２／２・０／０・０／０・２／２・２／２・０／０・０／０・２／２・２／２・４／４・４／４・２／２・２／２・４／４・４／４・２／２・２／２・４／４・４／４・２／２・２／２・４／４・４／４・２／２・２／２・４／４・４／４・２／４・４／４・６／６・６／６・４／４・４／４・６／６・６／６・４／４・４／４・２／２・２／２・４／４・４／４・２／２・２／２・４／４・４／４・２／２・２／２・４／４・４／４・２／２・２／２・４）
【００５５】
Ｇ８（２・２／２・４／４・４／４・２／４・４／４・６／６・６／６・４／４・４／４・６／６・６／６・４／４・４／４・２／２・２／２・４／４・４／４・２／２・２／２・４／４・４／４・２／２・２／２・４／４・４／４・２／２・２／２・４／４・４／４・２／２・２／２・４／２・２／２・０／０・０／０・２／２・２／２・０／０・０／０・２／２・２／２・４／４・４／４・２／２・２／２・４／４・４／４・２／２・２／２・４／４・４／４・２／２・２／２・４／４・４／４・２）
【００５６】
（ネット編地２の実施例１の２重ネット編地２Ｄにおけるフロント・ネット編地Ｆのシングルラッシェル編地仕様の組織例）
シングルラッシェル編地仕様の組織では、接結部Ｓについては記載しないので、ガイドＧ５については記載しない。
Ｇ４（４・２／２・４／２・０／０・２／２・０／０・２／２・４／４・２／２・４／４・２／２・４／４・２／２・４／４・２／２・４／４・２／４・６／６・４／４・６／６・４／４・２／２・４／４・２／２・４／４・２／２・４／４・２／２・４）  
【００５７】
Ｇ３（２・４／４・２／４・６／６・４／４・６／６・４／４・２／２・４／４・２／２・４／４・２／２・４／４・２／２・４／４・２／２・４／２・０／０・２／２・０／０・２／２・４／４・２／２・４／４・２／２・４／４・２／２・４／４・２）
【００５８】
Ｇ２（４・４／０・０／４・４／０・０／４・４／０・０／４・４／２・２／４・４／２・２／４・４／２・２／４・４／２・２／４・４／２・２／６・６／２・２／６・６／２・２／６・６／２・２／４・４／２・２／４・４／２・２／４・４／２・２）
【００５９】
Ｇ１（２・２／６・６／２・２／６・６／２・２／６・６／２・２／４・４／２・２／４・４／２・２／４・４／２・２／４・４／２・２／４・４／０・０／４・４／０・０／４・４／０・０／４・４／２・２／４・４／２・２／４・４／２・２／４・４）  
【００６０】
上記の組織でガイドＧ４、Ｇ３、Ｇ２、Ｇ１を用いてフロント・ネット編地Ｆを形成するが、同様の手法で、ガイドＧ７、Ｇ８、Ｇ９、Ｇ１０を用いてバック・ネット編地Ｂを形成する。
そして、両編地を、上記した接結組み合わせに従い、接結部Ｓを形成して一体化する。
第１の実施の形態においては、１／２リピートの上下ズレで接結しているので、両編地の畝部Ｗ同士の接結となり、図６（Ａ）に示す２重ネット編地２Ｄが得られることとなる。
【００６１】
（ネット編地２の実施例２）
図７は、本発明の防獣ネット柵に使用するネット編地２の実施例２を説明する模式図である。
本実施例の２重ネット編地２Ｄは、上述した実施例１がフロント・ネット編地Ｆとバック・ネット編地Ｂの組織が上下に１／２リピートずれているのに対して、ネット目Ｎの大きさも相対位置も同じである。
図７では、視覚的に理解を容易にするために、フロント・ネット編地Ｆとバック・ネット編地Ｂを少々、ずらして示してあるが、垂直面視した場合、実際には、重なっていてバック・ネット編地Ｂは見えない状態である。
また、図７ではネット目Ｎは菱形となっているが、実際には、実施例１の図６（Ａ）に示すように連結部Ｒは線状の長さを有していることと畝部Ｗが剛性を有していることから曲線を描いている。
【００６２】
フロント・ネット編地Ｆとバック・ネット編地Ｂが接結部Ｓで接結されていること、その接結部Ｓが適宜、分散して設けられていること、両編地の互いの動きに自由度があること、ズレにより合成ネット目ＧＮが発現すること等の本発明の重要な特徴については、第１の実施の形態と同様である。
【００６３】
編地の組織については、図６（Ｄ）に示した上記実施例１のものと比較して、フロント・ネット編地Ｆの組織とバック・ネット編地Ｂの組織が１／２ズレ戻されている組織となる。
接結部Ｓについては両編地の連結部Ｒ同士を接結することで第２の実施の形態のネット編地２が得られる。
【００６４】
（ネット編地２の実施例３）
図８（Ａ）は、本発明の防獣ネット柵に使用するネット編地２の実施例３を説明する模式図である。                        
この実施例３の２重ネット編地２Ｄは、実施例１や実施例２におけるフロント・ネット編地Ｆとバック・ネット編地Ｂのネット目Ｎの大きさ、形が同一であったのに対して、フロント・ネット編地Ｆのネット目Ｎとバック・ネット編地Ｂのネット目Ｎの組織が異なり、ネット目Ｎの大きさが異なる相違点を有する。
図８（Ａ）に示すように、フロント・ネット編地Ｆのネット目Ｎに比較して、バック・ネット編地Ｂのネット目Ｎは１／４の大きさとなっている。
【００６５】
フロント・ネット編地Ｆとバック・ネット編地Ｂが接結部Ｓで接結されていること、その接結部Ｓが適宜、分散して設けられていること、両編地の互いの動きに自由度があること、ズレにより合成ネット目ＧＮが発現すること等の本発明の重要な特徴については、第１の実施の形態、第２の実施の形態と同様である。
【００６６】
編地の組織については、フロント・ネット編地Ｆは上記した実施例１の実施の形態のネット編地２の組織に比較して接結部Ｓの組織以外は同一であり、バック・ネット編地Ｂについては、図８（Ｂ）にシングルラッシェル編地仕様の組織図で示すように、フロント・ネット編地Ｆの１／４の大きさであり、以下のガイドナンバーＧ７、Ｇ８、Ｇ９、Ｇ１０ごとに示した通りである。
シングルラッシェル編地仕様の組織では、接結部Ｓについては記載しないので、ガイドＧ８については記載しない。
【００６７】
Ｇ７（４・２／２・４／４・２／２・０／０・２／２・４／４・２／２・４／４・２／２・４／４・６／６・４／４・２／２・４）
【００６８】
Ｇ８（２・４／４・２／２・４／４・６／６・４／４・２／２・４／４・２／２・４／４・２／２・０／０・２／２・４／４・２）
【００６９】
Ｇ９（４・４／２・２／６・６／２・２／６・６／２・２／４・４／２・２／４・４／０・０／４・４／０・０／４・４／２・２）
【００７０】
Ｇ１０（２・２／４・４／０・０／４・４／０・０／４・４／２・２／４・４／２・２／６・６／２・２／６・６／２・２／４・４）
【００７１】
上記の組織でガイドＧ７、Ｇ８、Ｇ９、Ｇ１０を用いてバック・ネット編地Ｂを形成する。
これとフロント・ネット編地Ｆを、両編地の選択された連結部Ｒ同士で接結して一体化する。
接結部Ｓの形成箇所は、図８（Ａ）に示すように、フロント・ネット編地Ｆの連結部Ｒの一つ飛びの箇所とし、遊離部Ｘを形成して、ズレの自由度を持たせている。
【００７２】
以上、本発明の防獣ネット柵の実施の形態、また防獣ネット柵に使用するネット編地２の実施例を例に説明したが、本発明は要旨の変更のない限り、実施の形態、実施例にのみ限定されるものではなく多様な変形例が可能である。
例えば、防獣ネット柵の支持枠１である支柱１１や横桟の本数や形、それらの組み合わせは自由である。
【００７３】
また第５の実施の形態においてこの場合、支持枠１を構成する２本の支柱１１にを取り付けることが好ましい。
またネット編地２の前方端を支持枠１の一定距離離れた前方の位置で地面４にアンカーピン３を使って接地固定させておくことも可能である。その場合は、害獣の潜り込みは確実に防止される。
【００７４】
また、防獣ネット柵に使用するネット編地２でいうと、例えば、フロント・ネット編地Ｆやバック・ネット編地Ｂのネット目形状を菱形のような規則的なものからランダムなネット目形状にして更に合成ネット目ＧＮの変化を得ることが可能となる。
また、フロント・ネット編地Ｆとバック・ネット編地Ｂの接結についても接結部Ｓを不規則に散在させることで両編地のズレの自由度に多様な変化を付与することが可能となる。
更には、フロント・ネット編地Ｆ、バック・ネット編地Ｂの組織に関し、必要に応じて補強のための挿入糸を使用することや畝部Ｗを幅広の形状にすることなども当然可能である。
【産業上の利用可能性】
【００７５】
本発明の防獣ネット柵は、ネット編地２が一部において地面４より浮いた状態にあり、防獣機能が極めて優れている。    
またネット編地２も特殊なものを使っているので、フロント・ネット編地Ｆの畝部とバック・ネット編地Ｂの畝部である前後の畝部により各本来編地にはない新しい合成ネット目が形成されるという特徴もある。
この特徴を適用する限り、防獣ネット柵に限らず、土砂崩れ防止ネット、河川法面形成材、土砂積載袋等の産業用資材用に広く利用可能である。
【符号の説明】
【００７６】
１…支持枠
１１…支柱
２…ネット編地
２１…ロープ
２２…折り畳み部
３…アンカーピン
２Ｄ…２重ネット編地
Ｆ…フロント・ネット編地
Ｂ…バック・ネット編地
Ｗ…畝部
Ｗ１…畝部
Ｗ２… 畝部
Ｗ３ …畝部
Ｗ４…畝部
Ｎ…ネット目
ＮＣ…ネット組織地
Ｌ…挿入糸
ＧＮ…合成ネット目
Ｒ…連結部
Ｒ１… 連結部
Ｒ２… 連結部
Ｒ３… 連結部
Ｒ４…連結部
Ｓ…接結部
Ｓ１…フロント・ネット編地Ｆの接結部
Ｓ２…バック・ネット編地Ｂの接結部
Ｘ…遊離部
ＤＲ…ダブルラッシェル機
ＦＮ…フロントニードル部
ＢＮ…バックニードル部
Ｇ１〜Ｇ１０…  ガイド
ＧＬ… ガイド群
Ｙ…編成糸
【図１】
2011152060.tif 000003
【図２】
2011152060.tif 000004
【図３】
2011152060.tif 000005
【図４】
2011152060.tif 000006
【図５】
2011152060.tif 000007
【図６（Ａ）】
2011152060.tif 000008
【図６（Ｂ）】
2011152060.tif 000009
【図６（Ｃ）】
2011152060.tif 000010
【図６（Ｄ）】
2011152060.tif 000011
【図６（Ｅ）】
2011152060.tif 000012
【図７】
2011152060.tif 000013
【図８（Ａ）】
2011152060.tif 000014
【図８（Ｂ）】
2011152060.tif 000015
【図９】
2011152060.tif 000016